(57)【要約】  歯の清掃具は、歯の清掃具の長手方向軸を画定する本体部を含む。本体部は、長手方向軸に対して実質的に垂直に延在する第１アーム及び第２アームを含むフロスアセンブリと、第１アームに形成された受容スロットと、第１アーム上に形成されたシールドとを含む。シールドは、第１方向からの受容スロットへのアクセスが制限されるように、受容スロットを覆うように構成される。歯の清掃具はまた、第１アームに結合された２次清掃具を含む。２次清掃具は、少なくとも２つの自由度で第１アームに対して回動可能であり、これにより、２次清掃具は、第１方向とは異なる第２方向から受容スロットへ挿入可能である。【選択図】図１
2019531102.tif 000002
【特許請求の範囲】
【請求項１】
歯の清掃具であって、
前記歯の清掃具の長手方向軸を画定する本体部と、２次清掃具とを含み、
前記本体部は、前記長手方向軸に対して実質的に垂直に延在する第１アーム及び第２アームを含むフロスアセンブリと、前記第１アーム内に形成された受容スロットと、前記第１アーム上に形成されたシールドとを含み、
前記シールドが前記受容スロットを覆うように構成されることにより、第１方向からの前記受容スロットへのアクセスが制限され、
前記２次清掃具は、前記第１アームに結合され、前記第１アームに対して少なくとも２つの自由度で回動可能であり、これにより、前記２次清掃具は前記第１方向と異なる第２方向から前記受容スロットに挿入可能であるように構成されていることを特徴とする歯の清掃具。
【請求項２】
請求項１に記載の歯の清掃具であって、
前記本体部と前記２次清掃具との間に延在する屈曲性タブを更に含むことを特徴とする歯の清掃具。
【請求項３】
請求項２に記載の歯の清掃具であって、
前記屈曲性タブは、第１の力が適用されたときに前記２次清掃具が第１自由度で回動可能であり、第１の力より大きい第２の力が適用されたときに前記２次清掃具が第２自由度で回動可能であるような大きさであることを特徴とする歯の清掃具。
【請求項４】
請求項１に記載の歯の清掃具であって、
前記シールドは、前記第１方向からの前記受容スロットへのアクセスを制限するように方向付けられた第１部分と、前記第２方向からの前記受容スロットへのアクセスを部分的に制限するように方向付けられた第２部分とを含むことを特徴とする歯の清掃具。
【請求項５】
請求項４に記載の歯の清掃具であって、
前記シールドの前記第１部分は前記第１アームに沿って円弧状に延在し、前記シールドの前記第２部分は前記第１部分に対して垂直に方向付けられていることを特徴とする歯の清掃具。
【請求項６】
請求項１に記載の歯の清掃具であって、
前記第１アーム及び前記シールドは、モノリシック構造として形成されていることを特徴とする歯の清掃具。
【請求項７】
請求項１に記載の歯の清掃具であって、
前記本体部は第１側部と、前記第１側部とは反対側の第２側部とを含み、前記受容スロットは前記本体部の前記第１側部に沿って延在することを特徴とする歯の清掃具。
【請求項８】
請求項７に記載の歯の清掃具であって、
前記第１アームは、前記本体部の前記第１アーム及び前記第２アームの間に延在する前面部を含み、
前記前面部に指タブ開口部が画定されるように、前記受容スロットが前記本体部に沿って延在することを特徴とする歯の清掃具。
【請求項９】
請求項１に記載の歯の清掃具であって、
前記本体部は、前記フロスアセンブリから延在するハンドル及び前記ハンドルから延在する楊枝部材を更に含むことを特徴とする歯の清掃具。
【請求項１０】
請求項１に記載の歯の清掃具であって、
前記２次清掃具は、毛状清掃部材を含むことを特徴とする歯の清掃具。
【請求項１１】
歯の清掃具であって、
前記歯の清掃具の長手方向軸を画定する本体部と、２次清掃具とを含み、
前記本体部は、前記長手方向軸に対して実質的に垂直に延在する第１アーム及び第２アームを含むフロスアセンブリと、前記第１アーム内に形成された受容スロットとを含み、
前記受容スロットは前記第１アームの一部から延在するシールドによって部分的に覆われ、前記シールドが前記受容スロットを覆うように構成されることにより、第１方向からの前記受容スロットへのアクセスが制限され、
前記２次清掃具は、前記第１アームに結合され、前記第１アームに対して少なくとも２つの自由度で回動可能であり、これにより、前記２次清掃具は前記第１方向と異なる第２方向から前記受容スロットに挿入可能であるように構成されていることを特徴とする歯の清掃具。
【請求項１２】
請求項１１に記載の歯の清掃具であって、
前記本体部と前記２次清掃具との間に延在する屈曲性タブを更に含むことを特徴とする歯の清掃具。
【請求項１３】
請求項１２に記載の歯の清掃具であって、
前記屈曲性タブは、第１の力が適用されたときに前記２次清掃具が第１自由度で回動可能であり、前記第１の力より大きい第２の力が適用されたときに前記２次清掃具が第２自由度で回動可能であるような寸法であることを特徴とする歯の清掃具。
【請求項１４】
請求項１１に記載の歯の清掃具であって、
前記シールドは、前記本体部の前記長手方向軸に対して斜めに方向付けられていることを特徴とする歯の清掃具。
【請求項１５】
請求項１１に記載の歯の清掃具であって、
前記第１アーム及び前記シールドは、モノリシック構造として形成されていることを特徴とする歯の清掃具。
【請求項１６】
請求項１１に記載の歯の清掃具であって、
前記本体部は第１側部と、前記第１側部とは反対側の第２側部とを含み、前記受容スロットは前記本体部の前記第１側部に沿って延在することを特徴とする歯の清掃具。
【請求項１７】
請求項１６に記載の歯の清掃具であって、
前記受容スロットは、前記本体部の前記第１側部に側部開口部を画定し、
前記側部開口部は、前記第２方向からの前記受容スロットへのアクセスを提供することを特徴とする歯の清掃具。
【請求項１８】
請求項１６に記載の歯の清掃具であって、
前記第１アームは、前記本体部の前記第１側部及び前記第２側部の間に延在する前面部を含み、
前記受容スロットは、前記前面部に指タブ開口部が画定されるように、前記本体部に沿って延在することを特徴とする歯の清掃具。
【請求項１９】
請求項１１に記載の歯の清掃具であって、
前記本体部は、前記フロスアセンブリから延在するハンドルと、前記ハンドルから延在する楊枝部材とを更に含むことを特徴とする歯の清掃具。
【請求項２０】
歯の清掃具であって、
前記歯の清掃具の長手方向軸を画定する本体部と、２次清掃具とを含み、
前記本体部は、前記長手方向軸に対して実質的に垂直に延在する第１アーム及び第２アームを含むフロスアセンブリと、前記第１アーム内に形成された受容スロットとを含み、
前記受容スロットは前記第１アームの一部から延在するシールドによって部分的に覆われ、
前記２次清掃具は、リビングヒンジを介して前記第１アームに結合され、前記リビングヒンジを中心に前記第１アームに対して少なくとも２つの自由度で回動可能であり、これにより、前記リビングヒンジを中心に、前記２次清掃具を少なくとも２つの方向に動かすことによって、前記２次清掃具は前記受容スロットに挿入可能であるように構成されていることを特徴とする歯の清掃具。
【発明の詳細な説明】
【技術分野】
【０００１】
本開示の分野は、一般に歯の清掃具に関し、より具体的には、２次清掃具と、２次清掃具を選択的に収容するように構成された受容スロットを部分的に覆うシールドとを有する歯の清掃具に関する。
【背景技術】
【０００２】
歯の清掃具は、歯の表面または歯の間から食べかす及び／または蓄積を除去するために使用される。そのため、いくつかの既知の歯の清掃具は、歯の表面を清掃するためのブラシを含み、他の既知の歯の清掃具は、ユーザの歯の間から食べかす（または他のくず）を除去するため、またはほぐすためのフロス及び／またはピックを含む。更に、少なくともいくつかの既知の歯の清掃具は、使用中の展開位置と清掃具内に格納されたときの収容位置との間で移動可能な清掃器具を含む。しかし、多くの既知の歯の清掃具は、収容位置にあるときに、清掃器具をシールドするために扱いにくく複雑な機械的手段を提供する。加えて、清掃器具は歯の清掃具とは別個の独立した構成要素であり得るが、これにより、歯の清掃具から展開されたときに清掃器具が失われる可能性がある。
【０００３】
したがって、展開位置と収容位置との間で移動可能な２次清掃具を有する単純かつ費用効果の高い歯の清掃具が必要とされており、この２次清掃具はスロット内に配置され、歯の清掃具の一部によってシールドされる。
【発明の概要】
【課題を解決するための手段】
【０００４】
一態様において、歯の清掃具が提供される。清掃具は一般に、歯の清掃具の長手方向軸を画定する本体部を含む。本体部は、長手方向軸に対して実質的に垂直に延在する第１アーム及び第２アームを有するフロスアセンブリと、第１アーム内に形成された受容スロットと、第１アーム上に形成されたシールドとを含む。シールドは受容スロットを覆うように構成され、これにより受容スロットへのアクセスが第１方向から制限される。清掃具はまた、第１アームに結合された２次清掃具を含む。第１方向とは異なる第２方向から２次清掃具を受容スロットに挿入できるように、２次清掃具は少なくとも２つの自由度で第１アームに対して回動可能である。
【０００５】
別の態様において、歯の清掃具が提供される。清掃具は一般に、歯の清掃具の長手方向軸を画定する本体部を含む。本体部は、長手方向軸に対して実質的に垂直に延在する第１アーム及び第２アームを有するフロスアセンブリを含む。第１アーム内には受容スロットが形成され、該受容スロットは、第１アームの一部からシールドを画定する。シールドは、受容スロットへのアクセスが第１方向から制限されるように、受容スロットを覆うように構成される。清掃具はまた、第１アームに結合された２次清掃具を含む。第１方向とは異なる第２方向から２次清掃具を受容スロットに挿入できるように、２次清掃具は少なくとも２つの自由度で第１アームに対して回動可能である。
【０００６】
更に別の態様において、歯の清掃具が提供される。清掃具は一般に、歯の清掃具の長手方向軸を画定する本体部を含む。本体部は、長手方向軸に対して実質的に垂直に延在する第１アーム及び第２アームを含むフロスアセンブリと、第１アーム及び第２アームの間に延在するブリッジセグメントとを含む。受容スロットは、第１アーム及びブリッジセグメント内に形成され、シールドは第１アーム及びブリッジセグメント上に形成される。シールドは受容スロットを覆うように構成され、これにより受容スロットへのアクセスが第１方向から少なくとも部分的に制限される。２次清掃具は第１アームに結合され、第１方向とは異なる第２方向から２次清掃具を受容スロットに挿入できるように、２次清掃具は少なくとも２つの自由度で第１アームに対して回動可能である。
【０００７】
更に別の態様において、歯の清掃具は一般に、歯の清掃具の長手方向軸を画定する本体部を含む。本体部は、長手方向軸に対して実質的に垂直に延在する第１アーム及び第２アームを有するフロスアセンブリを含む。第１アーム内には受容スロットが形成される。受容スロットは、第１アームの一部から延在するシールドによって部分的に覆われる。２次清掃具はリビングヒンジ（living hinge）を介して第１アームに結合される。２次清掃具を少なくとも２つの方向にリビングヒンジを中心に動かすことによって２次清掃具を受容スロットに挿入できるように、２次清掃具は少なくとも２つの自由度でリビングヒンジを中心に第１アームに対して回動可能である。
【図面の簡単な説明】
【０００８】
【図１】展開位置において示された２次清掃具を有する、本開示の歯の清掃具の１つの適切な実施形態の斜視図である。
【図２】図１に示す歯の清掃具の別の斜視図である。
【図３】２次清掃具が収容位置において示されている、図１に示す歯の清掃具の側面図である。
【図４】図３と同様の歯の清掃具の側面図であるが、展開位置にある２次清掃具を示す。
【図５】展開位置において示された２次清掃具を有する、本開示の歯の清掃具の別の適切な実施形態の斜視図である。
【図６】図５に示す歯の清掃具の別の斜視図である。
【図７】２次清掃具が収容位置において示されている、図５に示す歯の清掃具の側面図である。
【図８】図７と同様の歯の清掃具の側面図であるが、展開位置にある２次清掃具を示す。
【発明を実施するための形態】
【０００９】
図１−４は、一般に符号（１００）で示される、本開示の歯の清掃具の１つの適切な実施形態を示す。本明細書で示すように、歯の清掃具１００は、歯の清掃具の長手方向軸１０４を画定する、一般に符号（１０２）で示される本体部を含む。本体部１０２は、歯の清掃具１００の長手方向軸１０４に対して実質的に垂直に延在する第１アーム１０８及び第２アーム１１０を有する、一般に符号（１０６）で示されるフロスアセンブリを含む。フロスアセンブリ１０６は、長手方向軸１０４と実質的に同軸に延在するように方向付けられた本体部１０２のブリッジセグメント１１１を更に含む。第１アーム１０８及び第２アーム１１０は、一般に符号（１１２）で示される間隔が、第１アーム１０８と第２アーム１１０との間に画定されるような距離だけ互いに離間されている。一実施形態では、歯の清掃具１００は、間隔１１２を横切り、第１アーム１０８と第２アーム１１０との間で結合されているフロス１１４の長さを含む。１つの適切な実施形態では、フロス１１４は、間隔１１２を横切って張力のかかった状態で保持されることにより、ユーザの歯の間に挿入されたときに、食べかすまたは他のくずを除去する、またはほぐすことを容易にする。
【００１０】
本体部１０２は、第１アーム内に形成され一般に符号（１１６）で示される受容スロットと、第１アーム１０８上に形成され一般に符号（１１８）で示されるシールドと、本体部１０２のブリッジセグメント１１１とを更に含む。受容スロット１１６は本体部１０２の第１アーム１０８及びブリッジセグメント１１１に沿って延在し、シールド１１８は受容スロット１１６を少なくとも部分的に覆うように配置される。更に、例示的な実施形態では、受容スロット１１６は長手方向軸１０４に対して斜めに方向付けられる。シールド１１８は、以下により詳細に説明するように、第１方向１２０からの受容スロット１１６へのアクセスを制限するように方向付けられる。加えて、一実施形態では、第１アーム１０８及びシールド１１８は、モノリシック構造（monolithic integral structure）として形成される。
【００１１】
本体部１０２は、フロスアセンブリ１０６から延在するハンドル１２２と、ハンドル１２２から延在する楊枝部材１２４とを更に含む。フロスアセンブリ１０６は一般に符号（１２６）で示される、本体部１０２の第１端部に画定され、楊枝部材１２４は、一般に符号（１２８）で示される、本体部１０２の第２端部に画定される。本体部１０２は、楊枝部材１２４がその第２端部１２８に尖端１３０を含むように、テーパ状である。
【００１２】
例示的な実施形態では、本体部１０２は、一般に符号（１３２）で示される第１側部と、第１側部と反対側の、一般に符号（１３４）で示される第２側部とを含む。図示のように、受容スロット１１６は、本体部１０２の第１側部１３２上の第１アーム１０８内に形成される。更に、第１アーム１０８は、本体部１０２の第１側部１３２と第２側部１３４との間に延在する前面部１３６を含む。受容スロット１１６は、指タブ開口部１３８が第１アーム１０８の前面部１３６に画定されるように、本体部１０２に沿って延在する。指タブ開口部１３８はまた、シールド１１８の下縁部１３９によって少なくとも部分的に画定される。指タブ開口部１３８は、以下により詳細に説明するように、受容スロット１１６へのアクセスを提供することにより、そこから清掃器具を展開することを容易にする。
【００１３】
歯の清掃具１００はまた、第１アーム１０８に結合した２次清掃具１４０を含む。２次清掃具１４０は、本明細書に記載のように、歯の清掃具１００が機能することを可能にする任意の適切な清掃器具であってもよい。例示的な２次清掃具は毛状清掃部材と、楊枝部材とを含むが、これらに限定されない。図示の実施形態では、例えば、２次清掃具１４０は毛状清掃部材である。１つの適切な実施形態では、２次清掃具は少なくとも２つの自由度で第１アーム１０８に対して回動可能であり、これにより、２次清掃具１４０は、第１方向１２０とは異なる第２方向１４２から受容スロット１１６に挿入可能である。
【００１４】
例えば、上記のように、シールド１１８は第１方向１２０から受容スロット１１６へのアクセスを制限するように方向付けられる。より具体的には、シールド１１８は、第１方向１２０から受容スロット１１６へのアクセスを制限するように方向付けられた第１部分１４４と、第２方向１４２から受容スロット１１６へのアクセスを部分的に制限するように方向付けられた、一般に符号（１４６）で示される第２部分とを含む。シールド１１８の第１部分１４４は、本体部１０２の第１アーム１０８及びブリッジセグメント１１１の上に形成され、それらの間に延在する。例示的な実施形態では、第１部分１４４は、丸み付き縁部が本体部１０２の上に形成されるように、第１アーム１０８及びブリッジセグメント１１１の間に円弧状に延在する。第１部分１４４はまた、第２部分１４６が本体部１０２の第１側部１３２からある距離に配置されるように本体部１０２の厚さに関連する幅を有し、２次清掃具１４０は、受容スロット１１６に挿入可能であるように、少なくとも２つの自由度で第１アーム１０８に対して回動可能である必要がある。
【００１５】
シールド１１８の第２部分１４６は、シールド１１８が受容スロット１１６上に延在するように、第１部分１４４に対して略垂直に方向付けられる。例えば、一実施形態では、第２部分１４６は、第１部分１４４に近接して配置された丸み付き縁部１４７を含む。丸み付き縁部１４７は、第２部分１４６が第１部分１４４に対して垂直に方向付けられるように、シールド１１８に輪郭を提供する。第２部分１４６は、第１部分１４４からある距離延在し、本体部１０２の第１側部１３２から見たときに受容スロット１１６が部分的に露出するように方向付けられる。より具体的には、第２部分１４６は、本体部１０２の長手方向軸１０４に対して斜めに方向付けられた側縁部１４５を含む。一実施形態では、本体部１０２の第１側部１３２から見たときに、側縁部１４５が受容スロット１１６を横切って第１アーム１０８からブリッジセグメント１１１に延在するように、第２部分１４６は第１部分１４４からある距離延在する。このように、シールド１１８は、展開位置にあるときの２次清掃具１４０による受容スロット１１６へのアクセスを制限することを容易にし、収容位置にあるときに２次清掃具１４０を受容スロット１１６内に保持することを容易にする。シールド１１８はまた、収容位置にあるときに２次清掃具を保護することを容易にする。
【００１６】
１つの適切な実施形態では、屈曲性タブ１４８（例えば、リビングヒンジ）が本体部１０２と２次清掃具１４０との間に延在する。屈曲性タブ１４８は、第１の力が適用されるときに２次清掃具１４０が第１自由度１４９で回動可能であり（図３に示す）、第１の力より大きい第２の力が適用されるときに２次清掃具１４０が第２自由度１５１で回動可能である（図２に示す）ような寸法である。例えば、屈曲性タブ１４８は、幅Ｗ（図１に示す）と、厚さＴ（図４に示す）とを有し、幅Ｗは厚さＴより大きい。このように、屈曲性タブ１４８は、２次清掃具１４０が計画的及び意図的な方法で受容スロット１１６内に収容可能であるか、または受容スロット１１６から展開可能であるような大きさである。すなわち、２次清掃具１４０は、ユーザが屈曲性タブ１４８を中心に手動で動かすことにより、収容位置と展開位置との間で２次清掃具を選択的に移動させることができる。
【００１７】
図２を参照すると、フロスアセンブリ１０６は、本体部１０２の第２側部１３４上に画定された側部開口部１５３を更に含む。歯の清掃具１００のユーザが、２次清掃具が受容スロット１１６内に収容されているかどうかを見ることができるように、側部開口部１５３は、第２側部１３４から受容スロット１１６の内部への覗き窓を提供し、これにより、ユーザに対する歯の清掃具１００の審美性を向上させ、関心を高める。
【００１８】
図３及び図４を参照すると、２次清掃具１４０は、収容位置（図３に示す）または展開位置（図４に示す）のいずれかに２次清掃具を配置するために、第１アーム１０８に対して選択的に手動で回動可能である。操作時には、指タブ開口部１３８を介して２次清掃具１４０にアクセスし、シールド１１８の下から２次清掃具１４０を解放することによって、２次清掃具１４０は収容位置から展開される。より具体的には、ユーザは、２次清掃具１４０を第１回転方向１５０に手動で把持して回動させ、本体部１０２の第１側部１３２から離れるように回動させ、その後第２回転方向１５２に回動させることにより、２次清掃具１４０を展開することができる。２次清掃具１４０を展開位置から収容するために、ユーザは、２次清掃具１４０がシールド１１８を通り過ぎるように、２次清掃具１４０を第１回転方向１５０に把持して回動させ、本体部１０２の第１側部から離れるように回動させることができ、２次清掃具１４０を第１回転方向１５０に回動させ、その後本体部１０２の第１側部１３２に向かって回動させると、これにより２次清掃具１４０が受容スロット１１６内に挿入される。
【００１９】
図５−８は、本開示の歯の清掃具１５４の別の適切な実施形態を示す。歯の清掃具１５４は、図１−４に示す歯の清掃具１００と実質的に同様であり、したがって、歯の清掃具１００及び歯の清掃具１５４の両方の同様の要素を指すために同様の符号が使用される。
【００２０】
例示的な実施形態では、本体部１０２は、第１アーム１０８内に形成された、一般に符号（１５６）で示される受容スロットを含む。受容スロット１５６は、第１アーム１０８の一部から延在するシールド１５８によって少なくとも部分的に覆われる。シールド１５８は、第１方向１２０からの受容スロット１５６へのアクセスを制限するように方向付けられる。より具体的には、シールド１５８は、本体部１０２の長手方向軸１０４に対して斜めに方向付けられる。加えて、受容スロット１５６は、本体部１０２の第１側部１３２上に側部開口部１６０を画定する。側部開口部１６０は、第２方向１４２からの受容スロット１５６へのアクセスを妨げない。
【００２１】
図７及び図８に示すように、受容スロット１５６は本体部１０２の第１アーム１０８及びブリッジセグメント１１１に沿って延在し、シールド１１８は受容スロット１５６を少なくとも部分的に覆うように配置される。シールド１１８（図１−４に示す）と同様に、シールド１５８は本体部１０２の第１アーム及びブリッジセグメント１１１の上に形成され、それらの間に延在する。１つの適切な実施形態では、シールド１５８は、第１アーム及びブリッジセグメント１１１の間に直線的に延在する。シールド１５８はまた、本体部１０２の厚さより大きい幅を有し、２次清掃具は第１アームに対して回動可能であり、少なくとも２つの自由度で受容スロット１１６に挿入可能であることが必要である。
【００２２】
加えて、図６を参照すると、本体部１０２はその第２側部に形成された膨出側壁１６１を含む。膨出側壁１６１は、本体部１０２の第１アーム１０８及びブリッジセグメント１１１の間に延在し、受容スロット１５６の体積が増加するように、本体部１０２の第２側部から外側に延在する。
【００２３】
図７及び図８を参照すると、２次清掃具１４０は、収容位置（図７に示す）または展開位置（図８に示す）のいずれかに２次清掃具を配置するために、第１アーム１０８に対して選択的に回動可能である。操作時には、前記第２方向から指タブ開口部１３８を介して２次清掃具１４０にアクセスすることによって、２次清掃具１４０は収容位置から手動で展開される。より具体的には、ユーザは、２次清掃具１４０を本体部１０２の第１側部１３２から離れてシールド１５８を通り過ぎるように、手動で把持して回動させ、その後第２回転方向１５２に回転させることにより、２次清掃具１４０を展開する。２次清掃具１４０を展開位置から収容するために、ユーザは、２次清掃具１４０がシールド１１８を通り過ぎるように、２次清掃具１４０を第１回転方向１５０に手動で把持して回動させ、本体部１０２の第１側部１３２から離れるように回動させる。２次清掃具１４０を第１回転方向１５０に回転させ、その後本体部１０２の第１側部１３２に向かって回動させると、これにより２次清掃具１４０が受容スロット１１６内に挿入される。
【００２４】
適切な実施形態では、図１−４の歯の清掃具１００及び／または図５−８の歯の清掃具１５４は、任意の適切な方法及び／または任意の適切な材料で形成することができる。例えば、歯の清掃具（１００、１５４）は、金属、木材、プラスチック及び／またはそれらの組み合わせから形成することができる。１つの好適な実施形態では、歯の清掃具（１００、１５４）は、以下に限定されないが、プラスチックまたは金属などの単一の弾性合成材料から成型されるか、または形成される。
【００２５】
本明細書に記載の歯の清掃具は、シールドと、フロスアセンブリの第１アーム上に形成された受容スロットと、第１アームに結合され、受容スロットから選択的に収容可能または展開可能な２次清掃具とを含む。シールドは、２次清掃具が収容位置にあるときに２次清掃具を受容スロット内に保持することを容易にし、２次清掃具が展開位置にあるときに受容スロットへのアクセスを制限する。このように、２次清掃具は、収容位置から意図せず展開されること、または展開位置から意図せず収容されることから制限される。更に収容位置にあるとき、２次清掃具は、フロスアセンブリの使用が妨げられないままであるように、第１アームと一体的である。
【００２６】
本開示またはその好適な実施形態（複数可）の要素を導入する場合、「１つの（a／an）」、「その（the）」、及び「前記（said）」は、１以上の要素の存在を意味することが意図される。用語「含む（comprising／including）」及び「有する（having）」は包括的であり、列挙した要素以外の追加の要素が存在し得ることを意味する。
【００２７】
上記の構成において、本開示の範囲から逸脱することなく様々な変更を行うことができるため、上記の説明に含まれ、添付の図面に示されるすべての事項は説明のためのものであり、限定的な意味ではなく解釈されることを意図している。
【００２８】
この記述された説明は、実施例を使用することにより、その最良の形態を含む本開示を説明し、また、任意のデバイスまたはシステムの作成及び使用、並びに組み込まれた方法の実施を含む、本開示の実施を当業者が行うことを可能にする。本開示の特許可能な範囲は、特許請求の範囲によって定義され、当業者が想到する他の例を含み得る。そのような他の例は、特許請求の範囲の文字通りの用語と相違のない構造要素を有する場合、または特許請求の範囲の文字通りの用語と実質的に相違のない均等の構造要素を含む場合、特許請求の範囲内にあることが意図される。
【図１】
2019531102.tif 000003
【図２】
2019531102.tif 000004
【図３】
2019531102.tif 000005
【図４】
2019531102.tif 000006
【図５】
2019531102.tif 000007
【図６】
2019531102.tif 000008
【図７】
2019531102.tif 000009
【図８】
2019531102.tif 000010
【国際調査報告】
2019531102.tif 000011
2019531102.tif 000012
2019531102.tif 000013